(57)【要約】【課題】  照明光の光源と映像投射ユニットをより好適に配置した照明装置を提供する。【解決手段】  筺体１１の内部に、照明用光源２０を配置し、筺体１１の一部に取り付けた拡散板１２を介して、照明用光源２０からの照明光を拡散して照明を行う照明装置１０であって、筺体１１の内部において、照明光の中心に対して、照明用光源２０の配置位置よりも遠い位置に、映像光を投射面に投射して表示するための映像投射ユニット３０を配置して構成する。【選択図】  図２
2016081627.tif 000002
【特許請求の範囲】
【請求項１】
筺体の内部に、光源を配置し、当該筺体の一部に取り付けた拡散板を介して、前記光源からの照明光を拡散して照明を行う照明装置であって、
前記筺体の内部において、前記照明光の中心に対して、前記光源の配置位置よりも遠い位置に、映像光を投射面に投射して表示するための映像投射ユニットを配置する、照明装置。
【請求項２】
請求項１に記載の照明装置において、
前記映像投射ユニットは、投射映像の中心が、前記映像投射ユニットの投射開口から表示面に垂線を下ろした位置よりも、前記照明装置による照明光が照射される領域に向かう方向にオフセットして映像を投射する、照明装置。
【請求項３】
請求項１に記載の照明装置において、
前記映像投射ユニットは、投射映像の中心が、前記映像投射ユニットの投射開口から表示面に垂線を下ろした位置よりも、前記照明装置による照明光が照射される領域の中心に向かうように映像を投射する、照明装置。
【請求項４】
請求項１に記載した照明装置において、
前記映像投射ユニットは、投射映像の中心が、前記映像投射ユニットの投射開口から表示面に垂線を下ろした位置よりも、前記照明装置による照明光が照射される領域の中心とは反対の方向に向かうように映像を投射する、照明装置。
【請求項５】
請求項１に記載の照明装置において、
前記映像投射ユニットは、投射映像の中心が、前記映像投射ユニットの投射開口から表示面に垂線を下ろした位置になるように映像を投射する、照明装置。
【請求項６】
請求項１に記載の照明装置において、
前記照明装置は、空間を構成する天井面に取り付けられる吊り下げ型の照明装置である、照明装置。
【請求項７】
請求項１に記載の照明装置において、
前記映像投射ユニットの投射光学系は、前記映像投射ユニットが有する映像表示素子を拡大投射するものであり、前記映像表示素子の中心と、投射光学系の光軸位置はオフセットして配置される、照明装置。
【請求項８】
請求項１に記載の照明装置において、
前記光源は、基板の面上に一又はそれ以上の半導体発光素子（ＬＥＤ）を配列して構成される、照明装置。
【請求項９】
請求項１に記載の照明装置において、
前記拡散板の一部には、前記映像投射ユニットからの映像光を通過させるための貫通孔または透過開口窓が形成される、照明装置。
【請求項１０】
請求項１に記載の照明装置は、
更に、前記照明装置の筺体を天井に取り付けるための保持具を備えており、前記保持具は、剛性の部材で形成される、照明装置。
【請求項１１】
請求項１０に記載の照明装置において、
前記剛性の部材で形成された保持具は、円筒状である、照明装置。
【請求項１２】
請求項１１に記載した照明装置において、
前記剛性の部材で形成された円筒状の保持具の外周には、スリット状の開口部が形成さる、照明装置。
【請求項１３】
請求項１に記載の照明装置において、
前記映像投射ユニットは、前記筺体の内部において前記照明光の中心に対して所定の方向にオフセットして配置されており、かつ、前記映像投射ユニットは、前記オフセットの方向を短手方向とし、前記オフセットの方向に対して垂直な方向を長手方向とする投射映像が得られるように設置される、照明装置。
【請求項１４】
請求項１に記載の照明装置において、
前記映像投射ユニットは、前記筺体の内部において前記照明光の中心に対して所定の方向にオフセットして配置されており、かつ、前記映像投射ユニットは、前記オフセットの方向を長手方向とし、前記オフセットの方向に対して垂直な方向を短手方向とする投射映像が得られるように設置される、照明装置。
【請求項１５】
請求項１に記載の照明装置において、
前記投射面において、前記照明光が照明する照明領域と、投射映像の少なくとも一部が重なる、照明装置。
【請求項１６】
請求項１に記載の照明装置において、
前記光源による照明光の照明状態と前記映像投射ユニットによる投射映像の投射状態は、(１)両者ともＯＦＦの状態、（２）照明光のみ照射する状態、（３）投射映像のみを投射する状態を切り替えて用いることが可能に構成される、照明装置。
【発明の詳細な説明】
【技術分野】
【０００１】
本発明は、例えば、天井に取り付けて室内の照明を行う照明装置に関する。
【背景技術】
【０００２】
天井や壁面に取り付けて、各種の機能を利用することができる通信機能モジュールをシーリングライトに取り付けたものが、既に、以下の特許文献１にも知られており、当該各種の機能には、超小型プロジェクターによる映像表示機能をも含んでいる。
【０００３】
また、照明器具にプロジェクターなどの映像表示機能を持たせることによって、照明をオフした後にＴＶの動画映像などを表示できるようにした照明器具も、以下の特許文献２により既に知られている。
【０００４】
更に、照明光と映像を合わせた空間演出を可能とする、画像投影装置付き照明装置も、以下の特許文献３により、既に知られている。
【先行技術文献】
【特許文献】
【０００５】
【特許文献１】特開２００３−１６８３１号公報
【特許文献２】特開２００６−８６０２４号公報
【特許文献３】特開２０１２−１８６１１８号公報
【発明の概要】
【発明が解決しようとする課題】
【０００６】
しかしながら、上述した従来技術により知られる照明装置は、照明光の光源とプロジェクターの光学系の効率的な配置についての考慮が不十分であった。
【０００７】
そこで、本発明は、上述した従来技術における問題点に鑑みて達成されたものであり、照明光の光源とプロジェクターの光学系などの映像投射ユニットをより好適に配置した照明装置を提供することをその目的とする。
【課題を解決するための手段】
【０００８】
上記の目的を達成するため、本発明によれば、まず、所定の形状の筺体の内部に、光源を配置し、筺体の一部に取り付けた拡散板を介して、光源からの照明光を拡散して照明を行う照明装置であって、筺体の内部において、光源の周辺部近傍に、映像光を投射して表示するための映像投射ユニットを配置しており、映像投射ユニットは、投射する映像光の光軸が、照明装置による照明光が照射される領域に向かうように投射するように配置された照明装置が提供される。
【発明の効果】
【０００９】
上述した本発明によれば、照明光の光源と映像投射ユニットをより好適に配置した照明装置を提供することを可能とする、という優れた効果を発揮する。
【図面の簡単な説明】
【００１０】
【図１】本発明の一実施の形態になる照明装置の外観構成を、その使用環境と共に示した斜視図である。
【図２】上記照明装置の内部構成を示すため、拡散板の一部を取り除いて下方から見た図である。
【図３】上記照明装置における照明用光源の具体例を示す図である。
【図４】上記照明装置の内部構成を示すための側面図である。
【図５】上記照明装置を構成する映像投射ユニットの他の構成例を示す斜視図である。
【図６】本発明の変形例になる照明装置の内部の配置構成示す図である。
【図７】映像投射ユニットの映像表示素子（液晶パネル）と投射光学系の位置関係、それにより得られる投射映像と照明装置による照明との関係を説明する図である。
【図８】映像投射ユニットの映像表示素子（液晶パネル）と投射光学系の位置関係、それにより得られる投射映像と照明装置による照明との関係を説明する図である。
【図９】映像投射ユニットの映像表示素子（液晶パネル）と投射光学系の位置関係、それにより得られる投射映像と照明装置による照明との関係を説明する図である。
【図１０】上記映像投射ユニットの配置と映像アスペクトの関係を示す図である。
【図１１】上記映像投射ユニットの配置と映像アスペクトの関係を示す図である。
【図１２】上記照明装置を天井面から吊り下げるための保持具につい説明する図である。
【図１３】上記照明装置の映像投射ユニットの内部の詳細な回路構成を示すブロック図である。
【発明を実施するための形態】
【００１１】
以下、本発明の実施の形態について、添付の図面を参照しながら、詳細に説明する。
【００１２】
まず、添付の図１は、本発明の一実施の形態になる照明装置の外観構成を示しており、図からも明らかなように、この照明装置１０は、例えば、キッチン、ダイニングルーム、又は、居間、或いは、オフィス等の空間を構成する壁面、特に、天井面５０に取り付けて使用される、所謂、吊り下げ型の照明装置である。より具体的には、図にも示すように、室内に設置されたテーブルや机６０の上方において、所定の高さに設置され、照明光をテーブルや机の上面に照射する機能と、当該テーブル又は机６０の上面（表示面または投射面）６１に各種の映像を投射して表示する機能と両方有するものである。
【００１３】
図２は、上述した照明装置１０の内部構成を示しており、この図にも明らかなように、一例として、例えば、合成樹脂の金型成型により形成した、外形略円筒又は円錐状の本体（又は、筺体とも言う）（シェード）１１の内部には、以下にも詳細に述べるが、例えば、複数の半導体発光素子（ＬＥＤ）を面状に配列してなる照明用光源２０（ここでは、破線で示す）と、そして、各種の映像を投射して表示するための小型プロジェクターである映像投射ユニット３０を備えている。なお、図中の符号１２は、上記本体１１の下方開口部を覆うように設けられ、上記照明用光源２０からの照明光を拡散して下方に均一に照射するための、所謂、拡散板を示している。なお、上記では、本体（シェード）１１の外形を円筒又は円錐状として説明したが、本発明は、これに限定されることなく、その他の形状、例えば、箱型のものであってもよい。
【００１４】
本実施例の照明装置１０では、例えば、テーブルや机の上面を照射する照明光と、テーブル又は机６０の表示面６１に投影する映像について、(１)両者ともＯＦＦの状態、（２）照明光のみを照射する状態、（３）映像のみを投影する状態などを切り替えて用いることが可能に構成しても良い。これらの状態に加えて(４)照明光と映像とを投影する状態を可能としても良い。これらの切替えは、物理スイッチによる信号切替えでもよく、照明用光源２０と映像投射ユニット３０の両者を制御する図示しない制御ユニットを設けて、リモコン等の操作入力に基づいて、それぞれを制御するように構成してもよい。
【００１５】
図３は、上述した照明用光源２０の具体例を示しており、この図は、上記照明装置１０を、その拡散板１２を外した状態で、下方から見た下面図である。この図からも明らかなように、例えば、熱伝導性に優れた金属などからなる円盤状の基板２１の面上に、複数（本例では、１０個）の半導体発光素子（ＬＥＤ）２２が、ほぼ均等な照射光が得られるように配列されて取り付けられて構成されている。
【００１６】
また、上記円盤状の基板２１上の一部において、上記半導体発光素子（ＬＥＤ）２２が設けられた領域を外れた位置、即ち、円盤状の基板２１上の外周近傍に、映像投射ユニット３０が設けられている。なお、この映像投射ユニット３０は、上記の図２にも明らかなように、その投射映像が、照明装置１０による照明光の照射領域の内部に位置するように設定されている。また、後にも説明するように、映像投射ユニットのインタラクティブ機能を実現するために、その一部に取り付けられたセンサーとしてのカメラを設けてもよい。なお、このカメラは、例えば、表示面６１を含む撮像範囲における赤外光成分を検出するものであり、これによれば、利用者の動作を撮影し、又は、利用者が操作する操作物からの反射光を検知することにより、利用者の操作内容を検出することができる。
【００１７】
本例では、図２にも示すように、映像投射ユニット３０の光源３１（例えば、半導体発光素子（ＬＥＤ））からの光は、例えば、ＤＭＤ（Digital Micromirror Device：登録商標）などの反射型映像表示素子（または液晶パネルなどの透過型映像表示素子でもよい）からなる表示部３２により映像光に変調され、各種のレンズを含む投射光学系３４を介して、外部に投射される。即ち、映像投射ユニット３０から下方に向かって投射された映像は、その下方において、上記照明装置１０による照明光の照射領域と少なくとも一部が重畳する範囲に表示される。なお、この映像投射ユニット３０の詳細については、後にも再び説明するが、これに先立ち、以下では、当該映像投射ユニット３０と上述した照明用光源２０、更には、拡散板１２との間の、照明装置１０の本体（シェード）１１内部における位置関係について述べる。
【００１８】
なお、上記の映像投射ユニット３０は、図２に示した構成のものに限定されるものではなく、例えば、図５にも示すように、透過型映像表示素子を用いたものでもよく、その他の構成のものでも利用できる。
【００１９】
図４は、本実施例になる照明装置１０の内部構成を示す側面図である。図からも明らかなように、複数の半導体発光素子（ＬＥＤ）２２を備えた照明用光源２０の基板２１上には、円筒状の本体（シェード）１１の底部（図では、上端部）に取り付けられ、即ち、照明光を拡散する拡散板１２からは、十分な距離を保った状態で配置されている。
【００２０】
他方、映像投射ユニット３０は、略「Ｌ」字形状の保持具３６を介して上記基板２１の端部に取り付けられ、当該保持具３６により、その発光開口部（即ち、投射レンズ面）が上記拡散板１２とほぼ同じ高さとなるように設定されている。
【００２１】
上記拡散板１２の一部には、映像投射ユニット３０からの投射光を通過させるための貫通孔（切欠）１３を形成する。当該貫通孔（切欠）１３は、空間的な穴である必要はなく、映像投射ユニット３０からの投射光を通過できれば、透過率が高い透過素材を用いた透過開口窓でも構わない。これは以下の説明において、貫通孔（切欠）１３と表記した場合でも同様である。上述した構成によれば、貫通孔（切欠）１３の大きさを、当該装置から出射した直後の大きさに合わせればよいことから、開口寸法を小さなものとすることが出来ることとなる。
【００２２】
なお、上記映像投射ユニット３０は、上記の図１や図２からも明らかなように、表示面６１上に映像光を投射することにより、所望の映像を表示することが出来る。その際、映像投射ユニット３０において、投射光学系３４の光軸を映像表示素子の中心からオフセットすることにより、投射映像の中心が、投射光学系３４の出射口から投射面に垂線を下ろした位置よりも、上記照明装置１０により得られる照明領域の中心（例えば、照明装置１０の真下）方向にオフセットして表示されるように構成することが好ましい（当該効果を得るためには、投射光学系３４の光軸を映像表示素子の中心からオフセットする以外に、投射光学系を回転対称光学系として設計せずに傾斜光学系として設計しても実現できる）。
【００２３】
かかる映像投射ユニット３０の配置によれば、照明装置１０による照明領域と映像投射ユニット３０の投射映像領域をより重畳させることが可能となる。ユーザはテーブル又は机６０などを、照明装置１０により、より良く照明される様に配置する可能性が高いため、照明装置１０による照明領域と映像投射ユニット３０の投射映像領域が大きいほど、よりテーブル又は机６０などを映像投射ユニット３０の表示面６１として使いやすくなり、レイアウトし易いというメリットがある。なお、この時、照明装置１０を消灯状態とすることによれば、よりコントラストの高い映像が得られることとなる。
【００２４】
即ち、上記図１や図２にも明らかなように、映像投射ユニット３０は、投射光学系の光軸と映像表示素子の中心をオフセットする、または投射光学系に傾斜光学系を採用することにより、投射映像の中心を、投射光学系の出射口から投影面に垂線を下ろした位置よりも照明領域の中心（図１に「×」で示す）方向にオフセットして投射する構成を採用することが望ましい。
【００２５】
更に、図６には、上述した映像投射ユニット３０、照明用光源２０、更には、拡散板１２との間の位置関係に関連した本発明の他の実施例を示す。
【００２６】
図６（Ａ）に示す配置構成（変形例１）では、映像投射ユニット３０の投射光学系開口部（即ち、投射レンズ面）と、照明用光源２０と、上記拡散板１２との高さを、近づけて配置する。かかる配置によれば、上記の実施例と同様に、映像投射ユニット３０からの投射光を通過させるためのる貫通孔（切欠）１３の大きさを小さなものとすることが出来、更には、映像投射ユニット３０の影を好適に抑制することができる。
【００２７】
また、図６（Ｂ）に示す配置構成（変形例２）では、映像投射ユニット３０の発光開口部（即ち、投射レンズ面）と上記照明用光源２０との高さを近づけて配置し、これらの高さと拡散板１２の高さを離して配置したものである。すなわち、映像投射ユニット３０の発光開口部の高さと上記照明用光源２０との高さの差を映像投射ユニット３０の発光開口部の高さと拡散板１２の高さの差または照明用光源２０の高さと拡散板１２の高さの差よりも小さくするように配置したものである。例えば、映像投射ユニット３０の発光開口部（即ち、投射レンズ面）と上記照明用光源２０との高さは、本体（シェード）１１内部の高さ方向の略中央位置に配置してもよい。これによれば、上記貫通孔（切欠）１３の大きさを、上記図６（Ａ）に示す（変形例１）に比較して、拡散板１２による照明光の拡散効果がより良好に得られると共に、映像投射ユニット３０の影の発生を好適に抑制することができる。
【００２８】
更に、図６（Ｃ）に示す配置構成（変形例３）では、上記照明用光源２０の基板２１を円筒状の本体（シェード）１１の上端部に近付けて取り付けると共に、映像投射ユニット３０をも、直接、上記基板２１上に取り付けている。かかる構成によれば、上記図６（Ａ）に示す（変形例１）に比較して、拡散板１２による照明用光源２０からの照明光の拡散効果を大きく得ることが可能となる。
【００２９】
また、以下には、上記映像投射ユニット３０を構成する表示部３２である映像表示素子（液晶パネル）と投射光学系３４の位置関係と、それにより得られる投射映像と照明装置１０により得られる照明との関係について説明する。
【００３０】
まず、図７には、映像投射ユニット３０の投射光学系３４の出射口から、映像の中心を照明光の中心とは反対方向にオフセットして、表示する映像を投射する場合について説明する。
【００３１】
この場合、図７（Ａ）にも示すように、表示部３２である映像表示素子（液晶パネル）の中心（図中に破線で示す）に対して、投射光学系３４の光軸（図中に破線で示す）を、照明光の中心と反対方向にオフセットして配置する。このことにより、図７（Ｂ）にも示すように、映像投射ユニット３０から表示面上に投射される映像は、投射光学系の出射口から投影面に下ろした垂線の位置を基準として、照明光の中心（図の破線を参照）とは反対方向にオフセットして表示されることとなる（図の破線を参照）。
【００３２】
なお、以上の効果は、映像表示素子の中心と回転対称光学系を採用した投射光学系３４の光軸をオフセットする上述の構成以外にも、投射光学系３４に傾斜光学系を採用することによっても実現できる。
【００３３】
次に、図８には、表示する映像を、映像投射ユニット３０の投射光学系３４の出射口から真下に投射する（即ち、オフセットせず）場合について説明する。
【００３４】
この場合、図８（Ａ）にも示すように、表示部３２である映像表示素子（液晶パネル）の中心（図中に破線で示す）と、投射光学系３４の中心（図中に破線で示す）とが一致するように配置する。このことにより、図８（Ｂ）にも示すように、映像投射ユニット３０から表示面上に投射される映像は、映像投射ユニット３０の出射口から真下にオフセット無しで投射される。
【００３５】
更に、図９には、映像投射ユニット３０の投射光学系３４の出射口から、映像の中心を照明光の中心方向にオフセットして、表示する映像を投射する場合について説明する。
【００３６】
この場合、図９（Ａ）にも示すように、表示部３２である映像表示素子（液晶パネル）の中心（図中に破線で示す）に対して、投射光学系３４の光軸（図中に破線で示す）を、照明光の中心方向にオフセットして配置する。このことにより、図９（Ｂ）にも示すように、映像投射ユニット３０から表示面上に投射される映像は、照明光の中心（図の破線を参照）方向にオフセットして表示されることとなる（図の破線を参照）。
【００３７】
図７の構成、図８の構成、図９の構成の特徴を比較する場合、図９の構成では、投射映像の投射面において、投射映像と照明光の照明範囲の重畳領域が、他の構成よりも大きくなる。すると、テーブル又は机６０を照明光で照射するようにユーザがテーブル又は机６０を設置した場合に、当該テーブル又は机６０を投射映像の表示面６１として使用し易くなる。
【００３８】
図７の構成では、投射映像と照明光の照明範囲の重畳領域が、他の構成よりも小さくなるので、１つのテーブル又は机６０で映像投射面と照明光の照射面とを共用する場合には、比較的大きなテーブル又は机６０が必要となる。しかしながら、ユーザに対して、テーブル又は机６０において照明光の照射面の領域は食事や作業用の領域とし、映像投射面では映像を映す等の使い方を提供することができる。
【００３９】
また、図７の構成よりもさらに投射映像のオフセットを増やして、照明光の照射領域と投射映像の領域の重畳領域を小さくすれば、投射映像が照明光の影響を受けにくくなるので、投射映像の投射と照明光の照明を同時に行う状態での使用が、他の構成に比べてより好適に行える。図８の構成は、図９の構成と図７の構成の両者の特徴の間にあるため、バランスがよい。
【００４０】
加えて、図１０及び１１により、映像投射ユニットの配置と映像アスペクトの関係について説明する。
【００４１】
図１０（Ａ）及び（Ｂ）は、映像投射ユニット３０を図のＸ方向にオフセットして配置すると共に、その投射により得られる表示映像Ｐのアスペクトを、Ｙ方向（即ち、映像投射ユニットのオフセット方向に対して垂直な方向）を長手方向とし、他方、Ｘ方向（即ち、映像投射ユニットのオフセット方向）を短手方向にした場合を示している。なお、図１０（Ａ）は、照明装置１０を下から見た図であり、図１０（Ｂ）は、照明装置１０を横から見た図である。
【００４２】
図１１（Ａ）及び（Ｂ）は、映像投射ユニット３０を図のＸ方向にオフセットして配置すると共に、その投射により得られる表示映像Ｐのアスペクトを、Ｙ方向を短手方向とし、他方、Ｘ方向を長手方向にした場合を示している。なお、図１１（Ａ）は、照明装置１０を下から見た図であり、図１１（Ｂ）は、照明装置１０を横から見た図である。
【００４３】
図１０の構成と図１１の構成を比較する。ここで、図５に示すように、投射光学系３４は、映像表示素子３２を物体としてその光学像を表示面６１に投射映像として投射する。すると、映像表示素子３２と投射映像とは上下左右対称で相似の関係となるが、アスペクトの長手方向と短手方向の関係は保たれる。すると、図１０や図１１の構成のように、照明光光源の配置領域よりも映像投射ユニット３０を照明光の中心位置に対して離れた位置にオフセットして配置する場合は、図１０のように、映像投射ユニット３０の配置のオフセット方向(図のＸ方向)を投射映像のアスペクトの短手方向とし、当該方向の垂直方向(図のＹ方向)を投射映像のアスペクトの長手方向とすることが望ましい。
【００４４】
このようにすることにより、映像投射ユニット３０内に配置される映像表示素子３２のアスペクト比においてＸ方向を短手方向としＹ方向を長手方向とすることができる。映像投射ユニット３０の各種光学系の寸法設計は、同じ面積の映像表示素子３２であれば、アスペクト比の長手方向、短手方向により影響を受けるため、図１０の様に、映像表示素子３２のアスペクト比においてＸ方向を短手方向としＹ方向を長手方向とした方が、映像投射ユニット３０のＸ方向の厚みを低減できる。図１０や図１１のレイアウトでは、映像投射ユニット３０のＸ方向の厚みを低減した方がより、映像投射ユニット３０に起因する照明光の影の発生を抑制できることは明らかである。
【００４５】
よって、照明光の中心位置に対して、映像投射ユニット３０をＸ方向にオフセットして配置する場合は、図１０の様に投射映像のアスペクト比をＸ方向を短手方向、Ｙ方向を長手方向にレイアウトする方が、映像投射ユニット３０に起因する照明光の影の発生を比較的抑制できるため望ましい。
【００４６】
以上、図７から図１１を用いて、照明光光源の配置領域よりも映像投射ユニット３０を照明光の中心位置に対して離れた位置にオフセットして配置する場合の数々のレイアウトを説明した。図７から図９のレイアウトと、図１０と図１１のレイアウトはいずれを組み合わせてもよい。
【００４７】
しかし、ユーザが限られた大きさのテーブル又は机６０を用意して、テーブル又は机６０を照明装置１０で照明を好適に照射し、また、当該テーブル又は机６０を映像投射ユニット３０の表示面として用いる場合には、最も空間効率の良いレイアウトの組み合わせは、照明光の中心と映像投射ユニット３０の配置のオフセットと、映像投射ユニット３０の投射光学系と投射映像のオフセットの関係については、図９のレイアウトを採用し、照明光の中心と映像投射ユニット３０の配置のオフセット方向と投射映像のアスペクト比における短手方向と長手方向の関係については、図１０のレイアウトを採用することが望ましい。このレイアウトにより、ユーザはテーブル又は机６０への照明光の効率良い照射、映像表示面としての空間効率の良い投射、および映像投射ユニット３０に起因する照明光の影の発生の低減を実現することができる。
【００４８】
続いて、上記図１にも示されるように、照明装置１０の上面には、当該照明装置１０の本体１１を天井面から所望の位置に吊り下げた状態で保持するための保持具４０が固定されているが、この保持具４０について、添付の図１２を参照しながら、以下に説明する。
【００４９】
即ち、保持具４０の一端（下端）は、上記照明装置１０の本体１１を構成する底面（上端面）に固定されると共に、この保持具４０は、その他端（上端）には、天井面に固定するための円盤状の取り付け具４５を備えており、例えば、ネジ４６やネジ穴４７などによって、天井面にしっかりと固定される。
【００５０】
なお、ここで、発明者による検討によれば、照明光をテーブルや机の上面に照射するだけでなく、当該テーブル又は机の上に映像を投射して表示することが可能な照明装置１０では、照明装置１０の本体１１が揺れ、又は、回転すると、投射映像の揺れが生じ表示装置としての機能を十分に達成できない状況が起こりうることが分かった。そこで、本発明では、上述した保持具４０を、例えば、中空の、アルミニウム等の金属管等、剛性の部材で形成することが好ましい。なお、その際には、上記図６にも示すように、当該保持具４０を構成する管体の内部に、上記半導体発光素子（ＬＥＤ）からなる光源２０と、そして映像投射ユニット３０へ電力を供給するための電源コード４８、更には、映像信号を供給するためのケーブル等をも収納することによれば、当該電源コードやケーブルを外部において這い回す必要がなくなり、意匠性にも優れた照明装置とすることが出来る。
【００５１】
また、当該保持具４０を構成する管体を、その下端が照明装置１０の本体１１の内部空間に対して開口し、即ち、照明装置１０の本体１１内部の空気が保持具４０の管体に流入可能なように構成することによれば、本体内部に収納された光源２０及び映像投射ユニット３０からの発熱を、所謂、煙突効果により管体に導き、当該管体の上部に形成したスリット状の開口部４９を介して外部に放出すること可能となる（図中の、白抜きの矢印を参照）。これによれば、照明装置１０のより効率的な冷却に資することが可能となる。
【００５２】
更に、ここでは図示しないが、上記保持具４０を構成する管体として、互いに径が異なり、スライド可能な複数本の管体（パイプ）を、同心状に組み合わせ、その一部に固定部を設け、もって、その全体の長さを調整することが可能な管体を利用することも可能である。これによれば、天井面５０から吊り下げられた照明装置１０の高さを自在に調節可能とすることから、更にその利用性に優れた照明装置を実現することが可能となる。
【００５３】
続いて、図１３は、上述した映像投射ユニット３０、即ち、投射型映像表示装置１００内部の、詳細な回路構成の一例を示したブロック図である。
【００５４】
投射光学系１０１（上記図２では符号３４）は、映像を表示面６１へ投射する光学系で、レンズおよび／またはミラーを含む。表示素子１０２（上記図２では符号３２）は、投射する映像を生成する素子で、透過型液晶パネル、反射型液晶パネル、ＤＭＤ（Digital Micromirror Device：登録商標）パネル等を用いる。表示素子駆動部１０３は、表示素子１０２に対して映像信号に応じた駆動信号を送る。光源１０５（上記図２では符号３１）は投射用の照明光を発生するもので、高圧水銀ランプ、キセノンランプ、ＬＥＤ光源、レーザー光源等を用いる。電源１０６は光源１０５に電力を供給する。照明光学系１０４は、光源１０５で発生した照明光を集光し、より均一化して表示素子１０２に照射する。冷却部１１５は、光源１０５、電源１０６または表示素子１０２など、高温状態になる各部位を空冷方式や液冷方式で必要に応じで冷却する。
【００５５】
操作信号入力部１０７は、装置本体上の操作ボタンやリモコンの受光部であり、ユーザからの操作信号を入力する。映像入力部１３１は、外部の映像出力装置を接続して映像データを入力する。音声入力部１３３は、外部の映像出力装置を接続して音声データを入力する。音声出力部１４０は、音声入力部１３３に入力された音声データに基づいた音声出力を行うことが可能である。また、音声出力部１４０は内蔵の操作音やエラー警告音を出力してもよい。通信部１３２は、例えば、外部の情報処理装置と接続して各種制御信号を入出力する。
【００５６】
不揮発性メモリ１０８は、インタラクティブ機能における各種操作用のデータ、表示アイコン、後述するキャリブレーション用のデータやその他プロジェクタ機能で用いるデータを格納する。メモリ１０９は、投射する映像データや装置の制御用データを記憶する。制御部１１０は、装置内各部の動作を制御する。特に、センサー１５０とインタラクティブ機能部１２０を制御してインタラクティブ機能を実行させる。
【００５７】
センサー１５０は、表示面６１上の映像投射領域と重畳する範囲を撮影するカメラで、赤外光成分を検出することで、操作物による反射光を検知することができる。なお、センサー１５０の光学フィルターのカット波長を可視光波長域に設定する(例えば、赤色可視光領域の途中に設定する)ことで、赤外光以外の一部の可視光成分（すなわち表示画面の投射映像）を赤外光成分とともに撮影することも可能である。
【００５８】
インタラクティブ機能部１２０は、ユーザが発光ペンや指を操作することで、映像領域へ文字や図形を書き込むなどのインタラクティブ動作を行う部分である。そのために、センサー１５０から取得した赤外線画像を解析して発光ペンや指の位置（ユーザが操作した位置）を算出する機能や、投射映像中に操作アイコンを合成したり、ユーザの操作に基づいて描画処理等を行うアプリケーションや、外部の映像出力装置から入力される映像等の操作を行うアプリケーションなど、発光ペンや指により操作可能なアプリケーションを実行する機能などを有する。
【００５９】
ここで、センサー１５０の撮影範囲と、表示面６１に投射された映像(表示素子１０２の映像領域の表示面６１上での光学像)の範囲とが、一致することはまずない。よって、ユーザが操作（描画）した位置を算出する際に、センサー１５０の撮影範囲での座標と、表示面６１に投射された映像中の座標位置を変換する必要がある。よって、インタラクティブ機能部１２０は、当該変換の処理および当該変換処理のための変換テーブルデータ(キャリブレーションデータ)を作成するための処理を行う機能を有する。
【００６０】
映像入力部１３１は、外部の映像出力装置を接続して映像データを入力する。音声入力部１３３は、外部の映像出力装置を接続して音声データを入力する。通信部１３２は、例えば、外部の情報処理装置と接続して各種制御信号を入出力する。
【００６１】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６２】
１０…照明装置、１１…本体（筺体）（シェード）、１２…拡散板、２０…照明用光源、２２…半導体発光素子（ＬＥＤ）、３０…映像投射ユニット、３１…光源、３２…表示部（映像表示素子）、３４…投射光学系。
【図１】
2016081627.tif 000003
【図２】
2016081627.tif 000004
【図３】
2016081627.tif 000005
【図４】
2016081627.tif 000006
【図５】
2016081627.tif 000007
【図６】
2016081627.tif 000008
【図７】
2016081627.tif 000009
【図８】
2016081627.tif 000010
【図９】
2016081627.tif 000011
【図１０】
2016081627.tif 000012
【図１１】
2016081627.tif 000013
【図１２】
2016081627.tif 000014
【図１３】
2016081627.tif 000015